(57)【要約】      （修正有）【課題】通気性でありながらも防水性である手袋、ミトンを提供する。【解決手段】積層体１００は、積層体１００の外層を構成し得る皮革１０１と、積層体１００の構造体の内側の要素となる防水通気性材料１０２とを含み、防水通気性材料が、複数の層を有し、前記複数の層のうちの１つが、防水性膜であり、前記防水性膜が、前記複数の層のうちの少なくとも２つの他の層の間に挟まれており、前記複数の層のうちの前記少なくとも２つの他の層が、通気性材料によって構成されており、掌部分が、背面部分に接合される手袋、ミトンである。【選択図】図１
2014173220.tif 000002
【特許請求の範囲】
【請求項１】
背面部分および掌部分を有し、前記背面部分および前記掌部分が、積層構造体によって構成されており、
前記積層構造体が、互いに積層された少なくとも２つの材料を有し、前記少なくとも２つの材料のうちの第１の材料が皮革であり、前記少なくとも２つの材料のうちの第２の材料が防水通気性材料であり、
前記防水通気性材料が、複数の層を有し、前記複数の層のうちの１つが、防水性膜であり、前記防水性膜が、前記複数の層のうちの少なくとも２つの他の層の間に挟まれており、前記複数の層のうちの前記少なくとも２つの他の層が、通気性材料によって構成されており、
前記掌部分が、前記背面部分に接合されている用具。
【請求項２】
前記掌部分および前記背面部分が、互いに縫製されて、少なくとも１つの縫い目を形成し、
前記少なくとも１つの縫い目が、前記少なくとも１つの縫い目を通して水が浸透することを防止するために、テープ留めされている請求項１に記載の用具。
【請求項３】
前記積層構造体がさらに、皮革材料と前記防水通気性材料との間に配置される接着材料を有する請求項１に記載の用具。
【請求項４】
前記接着材料が、点状接着材料である請求項３に記載の用具。
【請求項５】
皮革材料が、以下のもの、すなわち、天然皮革材料および合成皮革材料のうちの１つである請求項１に記載の用具。
【請求項６】
前記皮革材料に、孔が形成されている請求項５に記載の用具。
【請求項７】
前記防水通気性材料が、シェル生地サンドイッチであり、前記シェル生地サンドイッチが、表生地層、前記防水性膜、および、トリコットまたは編まれた裏地を有する請求項１に記載の用具。
【請求項８】
前記防水通気性材料が、ソフト・シェル生地サンドイッチであり、前記ソフト・シェル生地サンドイッチが、表生地層、前記防水性膜、および、フリースまたはトリコットの裏地を有する請求項１に記載の用具。
【請求項９】
前記防水通気性材料が、ポケット・ライナー生地サンドイッチであり、前記ポケット・ライナー生地サンドイッチが、前記防水性膜と、トリコットまたは編まれた裏地２つの層を有し、前記２つの層が、前記防水性膜の上方および下方に配設されている請求項１に記載の用具。
【請求項１０】
手を被覆する衣料を製造する方法であって、
通気性材料により構成されている少なくとも２つの層の間に防水性膜を挟むことによって、防水通気性構造体を形成するステップと、
接着材料を使用して前記防水通気性構造体を皮革材料に積層することによって、積層構造体を形成するステップと、
前記積層構造体を切片に切断するステップと、
前記積層構造体の前記切片を縫製して手を被覆する衣料にするステップ、
を有する方法。
【請求項１１】
前記積層構造体の前記切片を互いに縫製する線に沿って縫い目を形成するステップと、
前記縫い目をテープ留めすることによって、前記手を被覆する衣料に防水性を与えるステップ、
を有する請求項１０に記載の手を被覆する衣料を製造する方法。
【請求項１２】
前記積層構造体の前記切片を縫製して手袋にするステップを有し、前記手袋が「逆ガン・カット」パターンで形成される請求項１０に記載の手を被覆する衣料を製造する方法。
【請求項１３】
ダーツを有することによって、上部にプレ・カーブ・フィットをもたらすステップをさらに有する請求項１２に記載の手を被覆する衣料を製造する方法。
【請求項１４】
前記積層構造体の前記切片を縫製して手袋にするステップを有し、前記手袋が、背面部分と掌部分を互いに縫製することによって形成され、
前記掌部分が、親指の空洞以外の４本の指の空洞の前方部を有し、
前記背面部分が、第２指および第５指の空洞の後方部を有し、
請求項１０に記載の手を被覆する衣料を製造する方法。
【請求項１５】
手を被覆する衣料であって、
背面部分および掌部分を備え、前記背面部分および前記掌部分が、積層構造体により構成されており、
前記積層構造体が、互いに積層された少なくとも２つの材料を有し、前記少なくとも２つの材料のうちの第１の材料が、皮革であり、前記少なくとも２つの材料のうちの第２の材料が、防水通気性材料であり、
前記防水通気性材料が、互いの上に積み重ねられて層の「サンドイッチ」を形成する複数の層を有し、前記複数の層のうちの１つが、防水性膜であり、前記防水性膜が、前記複数の層のうちの少なくとも２つの他の層の間に挟まれており、前記複数の層のうちの前記少なくとも２つの他の層が、通気性材料により構成されており、
層の前記サンドイッチが、以下のもの、すなわち、シェル生地サンドイッチ、ソフト・シェル生地サンドイッチおよびポケット・ライナー生地サンドイッチのうちの１つであり、
前記掌部分が、前記背面部分に接合されている、
手を被覆する衣料。
【請求項１６】
前記シェル生地「サンドイッチ」が、表生地層、前記防水性膜、および、トリコットまたは編まれた裏地を有する請求項１５に記載の手を被覆する衣料。
【請求項１７】
前記ソフト・シェル生地サンドイッチが、表生地層、前記防水性膜、および、フリースまたはトリコットの裏地を有する請求項１５に記載の手を被覆する衣料。
【請求項１８】
前記ポケット・ライナー生地サンドイッチが、前記防水性膜と、前記防水性膜の上方および下方に配設された２つの層のトリコットまたは編まれた裏地とを有する請求項１５に記載の手を被覆する衣料。
【請求項１９】
以下のもの、すなわち、長いガントレット手袋、アンダー・カフ手袋、長いガントレット・ミトンおよびアンダー・カフ・ミトンのうちの１つである請求項１５に記載の手を被覆する衣料。
【請求項２０】
前記衣料の上部が、前記上部においてプレ・カーブ・フィットをもたらすダーツを有する請求項１５に記載の手を被覆する衣料。
【発明の詳細な説明】
【技術分野】
【０００１】
本発明は一般に、皮革を積層する方法であって、特に水または湿気が多い環境における、様々な屋内および屋外の活動用に使用され得る手袋またはミトンを製作するために適用される方法に関する。
【背景技術】
【０００２】
水に晒される手袋およびミトンを製作する最も重要な目的の１つは、当該手袋およびミトンが、通気性でありながらも防水性であることを確保することである。
【０００３】
現在、当該技術において、最も一般的には、防水性材料で製作された袋を手袋内に挿入することによって、手袋に防水性が与えられている。この袋は、当該袋を収容する手袋に従って形作られている。さらに、袋は、指先において仮縫いされて、手袋に対して縫製または糊付けされている。このプロセスは、手袋の全体を封止するが、封止するのはその内側だけである。ところが、手袋の外層は、所望の材料、たとえば皮革の切片を互いに縫製することによって製作され、これによって、外層に縫い目が形成される。この方法の欠点は、結果的に、外層が縫い目において防水性を失い、外層を経由して水が浸透し、外層と積層された袋との間の部分において手袋に水が充満し得る点である。結果的に、このようにして製作された手袋の幾つかの重要な特性（手袋の通気性、重量、ならびに、遮断および乾燥性能など）が減退する。
【０００４】
当該技術で知られた、手袋に防水性を与える別の技法は、外層と防水性膜とを、平坦な形で互いに積層することによって、これらの２つの材料間の空隙をなくすように開発されている。しかしながら、その結果、この技法は、外層を膜に直接一体化させているため、手袋の防水性能と手袋の通気性との間のバランスを、手袋の通気性に反する方に偏らせる。すなわち、この積層するプロセスは、２つの材料から成る過度に堅牢であって不透過性の構造体を構築する。次に、この積層シースは切片に裁断され、これらの切片が共に縫製されることで手袋が形成されるが、このため必然的に手袋に縫い目ができる。縫い目があまりにも多すぎると、発汗からの蒸気を通過させる手袋の能力にさらに影響を及ぼすが、その理由は、手袋の防水性を保つために、これらの縫い目をテープ留めしなければならないためである。過剰なテープ留めは、この方法で製作された手袋の通気性を減退させる。
【発明の概要】
【発明が解決しようとする課題】
【０００５】
したがって、手袋およびミトンを製造するための皮革を積層する技法であって、手袋およびミトンの通気性を妨害することなく手袋およびミトンの防水性を確保する技法に対する必要性が存在する。
【課題を解決するための手段】
【０００６】
本発明の一態様は、皮革を積層する方法であって、特に水または湿気が多い環境における様々な屋内および屋外の活動に使用され得る用具を製作するために適用される方法に関する。このような用具の一実施例は、背面部分および掌部分を含み、背面部分および掌部分は積層構造体で構成され得る。
【０００７】
積層構造体は、互いに積層された少なくとも２つの材料を含んでもよく、ここで、当該少なくとも２つの材料のうちの第１の材料は、皮革であり、当該少なくとも２つの材料のうちの第２の材料は、防水通気性材料であり得る。防水通気性材料は、複数の層を含み、ここで、当該複数の層のうちの１つは、防水性膜であり得る。防水性膜は、当該複数の層のうちの少なくとも２つの他の層の間に挟まれ得る。当該複数の層のうちの当該少なくとも２つの他の層は、通気性材料で構成され得る。次いで、掌部分は、背面部分に接合され得る。
【０００８】
具体的に、掌部分および背面部分は、互いに縫製されて、少なくとも１つの縫い目を形成することがあり、ここで、当該少なくとも１つの縫い目は、当該縫い目を経由して水が浸透することを防止するために、テープ留めされ得る。さらに、積層構造体は、皮革材料と防水通気性材料との間に配置される接着材料を含んでもよく、ここで、接着材料は、点状接着材料であり得る。
【０００９】
皮革材料は、天然皮革材料または合成皮革材料であってもよく、当該皮革材料には孔が形成され得る。
【００１０】
一例において、防水通気性材料は、表生地層、防水性膜、および、トリコットまたは編まれた裏地を含むシェル生地「サンドイッチ」であり得る。別の実施形態において、防水通気性材料は、表生地層、防水性膜、および、フリースまたはトリコットの裏地を含むソフト・シェル生地「サンドイッチ」であり得る。防水通気性材料の別の例は、防水性膜と、当該防水性膜の上方および下方に配設され得る２つの層のトリコットまたは編まれた裏地とを含む「ポケット・ライナー」生地「サンドイッチ」であり得る。
【００１１】
手を被覆する衣料を製造する方法の一実施例は、通気性材料で製作され得る少なくとも２つの層の間に防水性膜を挟むことによって、防水通気性構造体を形成するステップと、接着材料を使用して、当該防水通気性構造体を皮革材料に積層することによって、積層構造体を形成するステップと、当該積層構造体を切片に切断するステップと、当該積層構造体の当該切片を縫製して手を被覆する衣料にするステップとを含み得る。
【００１２】
一実施形態において、この方法は、積層構造体の切片を互いに縫製する線に沿って縫い目を作成するステップと、前記縫い目をテープ留めすることによって、当該手を被覆する衣料に防水性を与えるステップとを含み得る。
【００１３】
この方法の別の実施例はさらに、積層構造体の切片を縫製して手袋にするステップを含んでもよく、ここで、手袋は、「逆ガン・カット」パターンで形成されてもよく、または、より具体的には、手袋は、掌部分が親指の空洞以外の４本の指の空洞の前方部を含み、かつ、背面部分が第２指および第５指の空洞の後方部を含み得る態様で、当該背面部分および当該掌部分を互いに縫製することによって形成され得る。
【００１４】
本発明の一実施形態は、共に接合された背面部分および掌部分を含み得る手を被覆する衣料であり、ここで、背面部分および掌部分は、互いに積層された少なくとも２つの材料を含む積層構造体で構成され得る。当該少なくとも２つの材料のうちの第１の材料は、皮革であってもよく、当該少なくとも２つの材料のうちの第２の材料は、防水通気性材料であり得る。
【００１５】
防水通気性材料は、互いの上に積み重ねられて層の「サンドイッチ」を形成し得る複数の層を含み得る。このような実施形態において、当該複数の層のうちの１つは、防水性膜であってもよく、ここで、防水性膜は、複数の層のうちの少なくとも２つの他の層の間に挟まれてもよく、これらの２つの層は通気性材料で構成されている。
【００１６】
さらに、層の「サンドイッチ」は、以下のもの、すなわち、シェル生地「サンドイッチ」、ソフト・シェル生地「サンドイッチ」、および、「ポケット・ライナー」生地「サンドイッチ」のうちの１つであり得る。シェル生地「サンドイッチ」が、表生地層、防水性膜、およびトリコットまたは編まれた裏地を含み得る一方で、ソフト・シェル生地「サンドイッチ」は、表生地層、防水性膜、および、フリースまたはトリコットの裏地を含み得る。最後に、「ポケット・ライナー」生地「サンドイッチ」は、防水性膜と、当該防水性膜の上方および下方に配設され得る２つの層のトリコットまたは編まれた裏地とを含み得る。
【００１７】
加えて、手を被覆する衣料は、ミトンを構成し得る。最後に、手を被覆する衣料は、その上部にダーツを含んでいてもよく、当該ダーツは、衣料の上部においてプレ・カーブ適合をもたらし得る。
【００１８】
本発明は、以下に提示する詳細な説明から、および、添付の図面から、より完全に理解されるであろう。当該図面は、本発明の可能な実施例のうちの、ほんの幾つかを開示することが意図されているに過ぎず、したがって、本発明の範囲を制限しない。
【図面の簡単な説明】
【００１９】
【図１】図１は、接着材料を使用して皮革材料を防水通気性材料に積層する、皮革の積層方法の一実施例を示す図である。
【００２０】
【図２】図２（ａ）−（ｃ）は、防水通気性材料が、皮革材料に積層される前に、２つの層の間にサンドイッチ状に挟まれる、皮革の積層方法の一実施例を示す図である。
【００２１】
【図３】図３（ａ）、（ｂ）は、皮革材料および防水通気性材料を含む積層の切片を縫製することによって製造された長いガントレットの一実施例を示す図である。
【００２２】
【図４】図４は、皮革材料および防水通気性材料を含む積層の切片を縫製することによって製造された短いガントレット、すなわち、アンダー・カフ手袋の一実施例を示す図である。
【００２３】
【図５】図５は、皮革材料および防水通気性材料の積層の切片を縫製することによって製造されたミトンの一実施例を示す図である。
【発明を実施するための形態】
【００２４】
本発明は一般に、皮革を積層する方法であって、特に水または湿気が多い環境における、様々な屋内および屋外の活動に使用され得る手袋またはミトンを製作するために適用され得る方法に関する。皮革を積層する好ましい実施例について、以下に詳細に説明するが、本発明による構成は、屋内および屋外用の衣料に加え、様々な手袋、ミトン、および他の衣服およびアクセサリなどの広範囲の製品に使用することができる。
【００２５】
図１には、本発明による皮革を積層する一実施例が示されており、ここでは、積層体１００の構造体が記載されている。積層体１００は、平坦な形で互いの上に設置された３つの材料、すなわち、積層体１００の外層を構成し得る皮革１０１と、積層体１００の構造体の内側の要素となる防水通気性材料（ＷＰＢ）１０２と、当該皮革１０１と当該ＷＰＢ１０２との間に配置される接着剤１０３とを含み得る。接着剤１０３の機能は、高温環境において皮革１０１をＷＰＢ１０２に取り付けることであり、そのとき、結果として積層体１００が形成され得る。
【００２６】
皮革１０１をＷＰＢ１０２に積層する利点の１つは、最終製品、すなわち積層体１００が、防水性皮革構造体を構成し得る点、すなわち、水が、皮革１０１を通して浸透すること、および、皮革１０１とＷＰＢ１０２との間に蓄積することを防止し得る材料を構成し得る点である。このようにして２つの材料を接合することは、これから詳細に論じる理由により、既存の技術に比べ、積層体１００で製作される衣料の通気性、重量、ならびに遮断および乾燥性能を改善し得る。
【００２７】
皮革１０１に使用される材料は、天然皮革材料、たとえば、ヤギ、ウシ、ブタ、もしくはヒツジの皮革、または、皮革衣料を製作するのに好適であると考えられる任意の他の皮革材料であり得る。さらに、皮革１０１に使用される材料は、以下のものに限定されないが、合成スエードまたはゴム等の任意の合成皮革材料であり得る。さらに、既存の積層技術に比べて積層体１００の全体的な蒸気の透過性を高めるために、皮革１０１に通気口、または、孔を設けることができる。その一方で、防水特性が通気性よりも好まれる場合においては、孔が設けられていない皮革を適用することができる。
【００２８】
さらに、接着剤１０３は、フィルム接着剤を構成してもよいし、または、接着剤１０３は、図１に例示するように、点状接着剤であってもよい。点状接着材料を適用することにより、接着材料内において糊が断続的に配置されるため、既存の積層技術に比べると、積層体１００の通気性が改善される。
【００２９】
図２に示すように、ＷＰＢ１０２は、３つの層、すなわち、膜２０４と、当該膜２０４を挟む２つの付加的な層とを含み得る。膜２０４に使用される材料は、防水性であり、これによって、ＷＰＢ１０２の構造体の全体が、水に対して不浸透性となり得る。加えて、ＷＰＢ１０２の他の２つの層は、ＷＰＢ１０２の通気性を高め得る材料であり得る。すなわち、２つのこのような材料間に膜２０４を挟むことは、膜２０４と皮革１０１との間に層を配置することになり、これによって、ＷＰＢ１０２、そして結果的には積層体１００の防水特性を減じることなく、発汗による蒸気が通過することを可能にし得る。
【００３０】
図２（ａ）に例示される一実施形態において、ＷＰＢ１０２は、膜２０４、表生地（ＦＦ）２０６、およびトリコットまたは編まれた裏地（ＴＷＢ）２０７を有するシェル生地「サンドイッチ」（ＳＦＳ）２０５の構造体を構成し得る。ＦＦ２０６は、蒸気を透過させるのに好適であると考えられる任意の材料で構成され得る。さらに、ＦＦ２０６は、ナイロン、ポリエステル、または任意の他の合成材料で構成され得る。一例において、ＦＦ２０６は、共に接合されて積層体１００を形成するＷＰＢ１０２と皮革１０１との間の界面として使用され得る。
【００３１】
図２（ｂ）に描かれた別の実施形態において、ＷＰＢ１０２は、膜２０４、ＦＦ２０６、およびフリースまたはトリコットの裏地（ＦＴＢ）２０９を有するソフト・シェル生地「サンドイッチ」（ＳＳＦＳ）２０８の構造体を構成し得る。この実施形態のＦＦ２０６は、発汗による蒸気を通過させるのに好適であると考えられる任意の材料で構成され得る。加えて、ＳＳＦＳ２０８のＦＦ２０６は、共に接合されて積層体１００を構築するＷＰＢ１０２と皮革１０１との間の界面として使用され得る。
【００３２】
図２（ｃ）に示される、さらに別の実施例において、ＷＰＢ１０２は、膜２０４と、当該膜２０４の上および下に配設される２つのＴＷＢ２０７の層とを有する「ポケット・ライナー」生地「サンドイッチ」（ＰＬＦＳ）２１０の構造体を構成し得る。２つのＴＷＢ２０７層のうちの１つは、共に接合されて積層体１００を形成するＷＰＢ１０２と皮革１０１との間の界面として使用され得る。
【００３３】
次に、積層体１００は、様々な衣料を製造するために切片に切断される。既存の技術に比べると、このような材料で製作された衣料は改善された耐久性を示すが、その理由は、挿入された層が、層間剥離の場合に膜２０４を保護するためである。
【００３４】
実施例のうちの図３（ａ）に示される１つにおいては、積層体１００は、当該積層体１００の切片を共に縫製することによって、長いガントレット（ＬＧ）手袋３００を形成するために使用される。その結果、積層の切片が接合する線に沿って、縫い目３１１が形成され得る。したがって、ＬＧ手袋３００を完全に防水性である状態に維持するために、縫い目３１１は、防水性テープ（図面では図示せず）を用いてテープ留めされ得る。
【００３５】
さらに、形成される縫い目３１１をより少なくして、結果的に水がＬＧ手袋３００を通過する経路をより少なくするために、できるだけ少ない積層体１００の切片を使用することによってＬＧ手袋３００を組み立てることが望ましいことがある。それによって、縫い目３１１のテープ留めに使用されるのに必要なテープがより少なくなり、このことは、蒸気の通過を阻止するテープ留め材料の一般的な特質を考えると、手袋の通気性を高めることになる。一実施形態では、図３に例示されるように、ＬＧ手袋３００を製造するために使用される切片の数を最小化するために、「逆ガン・カット」パターンが適用され得る。
【００３６】
「逆ガン・カット」パターンは、背面部分３１２を掌部分３１３に縫製することによって作成され得る。一実施例において、背面部分３１２は、ＬＧ手袋３００の第２指および第５指の空洞の後面を含み、掌部分３１３は、親指の空洞以外のＬＧ手袋３００の４本の指の空洞の全ての前方部を有し得る。掌部分３１３への背面部分３１２の縫製は、単一の縫い目（すなわち側方の縫い目３１４）に沿って実施され得、それによって、形成される縫い目の数が最小化される。次に、後方中間部３１５が、指関節の縫い目３１６に沿って、掌部分３１３および背面部分３１２に接合され得る。さらに、内側親指部分３１７が、外側親指部分３１８に縫製され、これらの２つから成る構造体が、ＬＧ手袋３００のそれ以外の部分に取り付けられ得る。その後、ＬＧ手袋３００の防水性能を保つために、全ての縫い目がテープ留めされ得る。その一方で、「逆ガン・カット」パターンの縫い目は、テープ留めされない状態のままであってよく、この構造は、従来の挿入構造を用いて制作され得る。最後に、「逆ガン・カット」パターンは、挿入物を全く用いずに製作され得る。
【００３７】
この手袋製造パターンの利点の１つは、手袋における縫い目の数を制限することに加え、当該技術で知られた通常の「ガン・カット」パターンに比べると、「逆ガン・カット」パターンで製作された手袋が、より快適であって、かつ、より耐久性を有し得ることであり得る。すなわち、ガン・カットパターンを反転することによって、通常の「ガン・カット」パターンとは対照的に、中間部３１５は、掌の皺領域ではなく、指関節領域において、ＬＧ手袋３００の基部に取り付けられる。したがって、ＬＧ手袋３００の装着中に物体が保持されるときに、中間部３１５を取り付ける縫い目が、ＬＧ手袋３００の把持領域内に位置せず、したがって、当該縫い目は、指の曲げ動作を妨げることもなく、把持される物体と直接接触して配置されることもない。その結果、「逆ガン・カット」パターンは、縫い目におけるＬＧ手袋３００の断裂を低減することができ、当該「逆ガン・カット」パターンは、手袋３００を、装着するのにより快適な状態にもすることができる。
【００３８】
本発明の一実施形態は、各指の中間指関節においてダーツ３１９を含み得る。ＬＧ手袋３００のこのような特徴はさらに、その耐久性を改善し得るが、その理由は、このような特徴が、指の空洞においてプレ・カーブ・フィットをもたらすことによって、ＬＧ手袋３００のテープ留めされた領域における皺の形成を防止し得るためである。
【００３９】
図４に例示される別の実施例において、積層体１００は、当該積層体１００の切片を共に縫製することによって、短いガントレット（ＳＧ）手袋４００を形成するために使用され得る。ＳＧ手袋４００は、アンダー・カフであり、すなわち、手首領域の辺りで短くされていることがある。
【００４０】
図５は、積層体１００で製作された手を被覆する衣料の、その機能性および当該衣料が指に対して実現する触覚よりも、断熱および通気性に関連する利点を優先させ得る実施形態を示す。本発明の実施例のうちの１つにおいて、積層体１００の切片は、共に縫製されて、ミトン５００を形成し得る。当該ミトン５００は、同じ空洞内に４本の指を収容することができ、それによって、当該ミトンを製造するのに必要な縫い目の数をさらに減らす。すなわち、ミトン５００は、図３（ｂ）に描かれた中間部３１５を省略することができ、したがって、指関節の縫い目３１６をなくすことができる。結果的に、縫い目のテープ留めを減らすことができ、このことは、ミトン５００の通気性を増大させ得る。さらに、４本の指を共に収容することにより、ミトン５００は、衣料に晒される指の領域表面を減らし得、それによって、指と周辺環境との間の熱交換を減らす。
【００４１】
一実施形態において、ダーツ５２４は、ミトン５００の後方部５２５に作成され得る。ミトン５００のこのような特徴はさらにその耐久性を改善し得るが、その理由は、このような特徴が、ミトン５００の上部においてプレ・カーブ・フィットをもたらすことによって、ミトン５００のテープ留めされた領域における皺の形成を防止し得るためである。
【００４２】
最後に、上で論じた手袋の実施形態と同様に、ミトン５００は、長いガントレット・ミトンか、または、手首領域の辺りで短くされたアンダー・カフ・ミトンのいずれかであり得る。
【００４３】
様々な実施形態を説明してきたが、他の実施形態が考えられる。手袋またはミトンを製造するために積層された皮革を使用する様々な実施例の上述の説明が、限定を意図しておらず、これらの実施例の任意の数の変更、組み合わせ、および代替が用いられ得ることが、理解されるべきである。
【００４４】
本明細書に記載した実施例は、単に例示的なものであるが、その理由は、本発明の精神および範囲から逸脱することなく、多数の他の実施形態を実施し得るためである。さらに、この発明の或る特徴を、或る実施例または構成の文脈でのみ上に記載され得るが、これらの特徴を、この発明の範囲内に留まったまま、様々な実施形態または構成から、および、様々な実施形態または構成間において、交換、追加、削除することが可能であり得る。
【図１】
2014173220.tif 000003
【図２】
2014173220.tif 000004
【図３】
2014173220.tif 000005
【図４】
2014173220.tif 000006
【図５】
2014173220.tif 000007
【外国語明細書】
2014173220000001.pdf
2014173220000002.pdf
2014173220000003.pdf
2014173220000004.pdf